(57)【要約】      （修正有）【課題】内側からライトアップすることで明り取りだけでなく、ディスプレイとしての効果をアップさせるもので、また、対象物の色によって明かりの色の変化も楽しめるライトアップ装置を提供する。【解決手段】花やその他の対象物の高さに応じて高さも自由に調整出来るようにしたものの先にＬＥＤをつけたものを、鉢植えの花や生けられた花、その他の対象物の中心あたりにくるように配置することで、内側から対象物の色を生かしたライトアップをする。ＬＥＤ照明は対象物の種類や高さ、本数、厚みなどに応じて、それぞれの高さに調節が出来るようにしたり、支柱の形状を変えることにより、土台をつけて置いたり、フック状にすることで、引っかけて使用することもでき、対象物を内側からライトアップ出来る。【選択図】図１
0003160511.tif 000002
【実用新案登録請求の範囲】
【請求項１】
鉢植えの花、切り花、その他の照明対象物品の内側に配置されて、その内側から照明対象物品を照らすためのライトアップ装置であって、照明用のLEDチップとこのLEDチップに電力を供給する乾電池などと、これらのLEDチップおよび電源を保持するホルダーと、このホルダーを照明対象物品の内側の所定位置に位置させるための支持部材、取付部材とを備えたライトアップ装置。
【請求項２】
上記ホルダーは、上端部に上記LEDチップを  このLEDチップの下側に上記の電源を供給するための乾電池などをそれぞれ収容し、上記支持部材を所定の長さの支柱で構成し、この支柱の上端部を上記ホルダーの下端部に  その長さを調整可能に連結し、上記LEDチップを  LEDチップからの発光を拡散させるカバーで覆う請求項１に記載のライトアップ器具。
【考案の詳細な説明】
【技術分野】
【０００１】
鉢植えの花、切り花、生け花、ショウウインドウの中に飾られている衣服、その他のディスプレイされる対象の物品の内側に灯りを配置することにより、その内側からそれらの照明対象物品を照らすためのライトアップ装置であって、照明用の超高輝度のLEDチップとこのLEDチップに電力を供給する乾電池やボタン電池、その他色々な電源供給装置、LEDチップの光を拡散させるためのカバー、この光源および電源を保持するためのホルダーと、このホルダーを照明対象物品の内側の所定位置に位置させるための支柱などの支持部材、取付部材とを備えたライトアップ装置。
【背景技術】
【０００２】
上記は、上端部に上記超高輝度LEDチップ、このLEDチップの下側に電源を供給するための乾電池、ボタン電池などの電源供給装置をそれぞれ収容するケース、上記支持部材を所定の長さの支柱で構成し、この支柱の上端部を上記ホルダーの下端部に  その長さを調整可能に連結し、上記LEDチップを  LEDチップからの発光を拡散させるキャップ若しくはカバーで覆うことにより、防水の役目を果たすのライトアップ器具。
【考案の概要】
【考案が解決しようとする課題】
【０００３】
鉢植えのシクラメンやシンビジウムやその他の観葉植物や、置物などが、省電力で長持ちできるLEDチップを用いて、簡単に内側からライトアップできれば、灯り取りとしての効果もある。
また、他に花瓶に生けられた切り花や、花器に生けられた生け花も同様に省電力、超高輝度LED照明を使って花やその他の照明対象物の内側からライトアップすることで、灯り取りや癒しの効果をアップさせるものである。また、花の色によって明かりの色の変化も楽しめる。これはガーデニングにも応用できると考えられる。
また、ショーウインドウに飾られたドレスなどの衣服にも同様に、内側からライトアップすることにょり、客の目を引く効果が上がるのではないかと思われる。
【課題を解決するための手段】
【０００４】
本考案は、照明対象物の高さに応じて高さも支自由に調整出来るようにしたものの先に省電力で超高輝度LEDをつけたものを、シクラメンやシンビジウムなどの鉢植えの観葉植物、花瓶や花器にに生けられた花、置物、ショウウインドウの中などに飾られた衣服などの対象物の内側に光が当たるように鉢や花瓶の中に刺すことで、対象物の色を生かしたライトアップができる。
LEDの数は花の種類や高さ本数、その他の対象物に応じて、LED照明をそれぞれの高さに調節が出来るようにし、シンビジウムのように対象物に上下の幅がある場合、また花瓶に生けられた切り花にはそれぞれ高さの違うライトを刺すことにより、対象物全体に超高輝度LEDの光が当たって、全体がライトアップ出来る。
【考案の効果】
【０００５】
上述のように、本考案の内側からのライトアップ用LED照明を鉢や花瓶、花器、花壇に差したり、ショウウインドウに飾られたドレスなどその他の照明対象物の内側からライトアップすることにより、夜などにも楽しめたり、灯り取りとしての効果、商品のイメージアップ、癒しの効果
【図面の簡単な説明】
【０００６】
【図１】本考案のライトアップ装置の実例を示す正面図である
【図２】本LED照明本体を土台をつけて使用する場合の図である。
【図３】本LED照明本体をフック状にした場合の図である。
【図４】本LED照明本体にボタン電池を装着した場合の図である。
【考案を実施するための形態】
【０００７】
本考案の最上部には、高輝度LEDチップとその光を拡散させるためのキャップ若しくはカバーを取り付け、その下部には電源を取るための乾電池やボタン電池などを収納するための電池ボックスを取り付け、その下にLEDチップを取り付ける。LED自体は光の直線性が高いため、光を拡散させるために拡散作用のあるカバーを取り付ける。電池ボックスの下部には、土などに差すための長さを調節した支柱が着けられている。その連結部には、支柱は土に差す場合はそのまま使用でき、固定する場合には、支柱を土台に固定したり、フック状にして使用できるようにする。
【実施例】
【０００８】
以下、添付図面に従って実施例を説明する。１超高輝度LEDチップ、２は１のLEDの光を拡散させるためのキャップ、３はプラスチック等適宣素材にて電池ケース、４は差し込んで長さを自由に調節出来るようにする支柱、その支柱の形状をかえることにより、図２のように、５の土台に６の支柱を差すアタッチメントを取り付けることにより置いて使うことができ、図３のように支柱の形状を変えることによりフック状にして使用でき、図４のようにボタン電池を使用することにより、更に小型化できる。
【０００９】
本考案の一実施例は上述の如き構成からなるものであるから、鉢物観葉植物、花瓶や花器に差してある切り花、花壇などの花、ドレス他、内側からライトアップすることにより、灯り取り、ディスプレ−としての役目を果たす。
【符号の説明】
【００１０】
１  LEDチップ
２  拡散キャップ
３  電池ボックス
４  支柱
５  土台
６  アタッチメント
７  フック状にした支柱
８  ボタン電池
【図１】
0003160511.tif 000003
【図２】
0003160511.tif 000004
【図３】
0003160511.tif 000005
【図４】
0003160511.tif 000006
【手続補正書】
【提出日】平成22年3月3日(2010.3.3)
【手続補正１】
【補正対象書類名】実用新案登録請求の範囲
【補正対象項目名】全文
【補正方法】変更
【補正の内容】
【実用新案登録請求の範囲】
【請求項１】
鉢植えの花、切り花、その他の照明対象物品の内側に配置されて、その内側から照明対象物品を照らすためのライトアップ装置であって、照明用のLEDチップとこのLEDチップに電力を供給する電源供給装置と、これらのLEDチップおよび電源を保持するホルダーと、このホルダーを照明対象物品の内側の所定位置に位置させるための支持部材、取付部材とを備えたライトアップ装置。
【請求項２】
上記ホルダーは、上端部に上記LEDチップを  このLEDチップの下側に上記の電力を供給するための電源供給装置をそれぞれ収容し、上記支持部材を所定の長さの支柱で構成し、この支柱の上端部を上記ホルダーの下端部に  その長さを調整可能に連結し、上記LEDチップを  LEDチップからの発光を拡散させるカバーで覆う請求項１に記載のライトアップ器具。
【手続補正書】
【提出日】平成22年4月6日(2010.4.6)
【手続補正１】
【補正対象書類名】実用新案登録請求の範囲
【補正対象項目名】全文
【補正方法】変更
【補正の内容】
【実用新案登録請求の範囲】
【請求項１】
鉢植えの花、切り花、その他の照明対象物品の内側に配置されて、その内側から照明対象物品を照らすためのライトアップ装置であって、照明用のＬＥＤチップとこのＬＥＤチップに電力を供給する電源供給装置と、これらのＬＥＤチップおよび電源を保持するホルダーと、このホルダーを照明対象物品の内側の所定位置に位置させるための支持部材、取付部材とを備えたライトアップ装置。
【請求項２】
上記ホルダーは、上端部に上記ＬＥＤチップを  このＬＥＤチップの下側に上記の電力を供給するための電源供給装置をそれぞれ収容し、上記支持部材を所定の長さの支柱で構成し、この支柱の上端部を上記ホルダーの下端部に  その長さを調整可能に連結し、上記ＬＥＤチップをＬＥＤチップからの発光を拡散させるカバーで覆う請求項１に記載のライトアップ装置。